(57)【要約】【課題】遊技盤の背面を利用することなく遊技盤を枠体に固定することができ、遊技盤の背面を広く利用することが可能な遊技機の提供を目的とする。【解決手段】遊技盤固定部材２１０は、常には係止部２２２と誘導部２２１が収納部２０１内に突出するように付勢され、係止部２２は遊技盤固定部材挿入凹部３０に挿入されたときに遊技盤３の移動を規制可能であって、誘導部２２１は遊技盤３で押されることにより係止部２２２を収納部２０１から後退させ、誘導部２２１が収納部２０１における遊技盤挿入側に位置し、かつ係止部２２２が誘導部２２１とは反対側に位置する挿入固定状態と、係止部２２２が収納部２０１における遊技盤挿入側に位置し、かつ誘導部２２１が係止部２２とは反対側に位置して遊技盤３を収納部２０１から取り外し可能とする固定解除状態とを可変とした。【選択図】      図６
2006068031.tif 000002
【特許請求の範囲】
【請求項１】
遊技球の流下可能な遊技領域が前面に設けられた遊技盤と、
前記遊技盤の収納部を内部に有する枠体と、
前記枠体の側部に取り付けられた遊技盤固定部材と、
を備え、
前記遊技盤が前記枠体の前方又は後方から挿入されて前記収納部に収納された際に、前記遊技盤固定部材により前記遊技盤が固定される遊技機において、
前記遊技盤の側部には、前記収納部への前記遊技盤の収納状態時に前記遊技盤固定部材が挿入される遊技盤固定部材挿入凹部が設けられ、
前記遊技盤固定部材は、係止部と誘導部とを少なくとも備えると共に、常には前記係止部と前記誘導部とが前記収納部の側方から該収納部内に突出するように付勢され、前記係止部は前記遊技盤固定部材挿入凹部に挿入されたときに前記遊技盤の移動を規制可能であって、前記誘導部は前記遊技盤で押されることにより前記係止部を前記収納部から後退させ、
前記誘導部が前記収納部における遊技盤挿入側に位置し、かつ前記係止部が前記誘導部とは反対側に位置して前記遊技盤を前記収納部へ挿入可能とすると共に前記収納部に前記遊技盤が収納された際には前記遊技盤固定部材挿入凹部へ前記係止部が挿入される挿入固定状態と、前記係止部が前記収納部における前記遊技盤挿入側に位置し、かつ前記誘導部が前記係止部とは反対側に位置して前記遊技盤を前記収納部から取り外し可能とする固定解除状態とを可変としたことを特徴とする遊技機。
【請求項２】
前記枠体は前記収納部の周囲に遊技盤収容壁が立設されると共に、前記収納部への前記遊技盤挿入時に前記遊技盤の挿入方向側となる遊技盤の挿入方向側面と前記収納部へ前記遊技盤が収納された際に当接して前記遊技盤のそれ以上の挿入を阻止する遊技盤受けが設けられ、
前記遊技盤固定部材は、前記収納部内に突出している前記係止部と前記誘導部を共に前記収納部から後退可能な可変部を備えたことを特徴とする請求項１に記載の遊技機。
【請求項３】
前記遊技盤固定部材は前記誘導部の一端側に前記係止部を有することを特徴とする請求項１または２に記載の遊技機。
【請求項４】
前記遊技盤固定部材を複数設けると共に、前記遊技盤固定部材挿入凹部を前記遊技盤固定部材に対応して設けたことを特徴とする請求項１から３の何れか一項に記載の遊技機。
【請求項５】
前記誘導部と前記係止部とを前記挿入固定状態と前記固定解除状態間で回動可能とする回動部を前記遊技盤固定部材に設けたことを特徴とする請求項１から４の何れか一項に記載の遊技機。
【請求項６】
前記複数の遊技盤固定部材には前記誘導部と前記係止部とを前記挿入固定状態と前記固定解除状態間で回動可能とする回動部をそれぞれ設けると共に、少なくとも２個の前記回動部を同時に回動可能とする連動手段を設けたことを特徴とする請求項４に記載の遊技機。
【請求項７】
前記遊技盤固定部材は、前記係止部を前記誘導部の一端部から他端部へ移動する移動機構を備え、
前記係止部の移動により前記挿入固定状態と前記固定解除状態間を変化可能としたことを特徴とする請求項１から４の何れか一項に記載の遊技機。
【請求項８】
遊技球の流下可能な遊技領域が前面に設けられた遊技盤と、
前記遊技盤の収納部を内部に有する枠体と、
前記遊技盤の側部または前記枠体の何れかの一方の側部に取り付けられた遊技盤固定部材と、
を備え、
前記遊技盤が前記枠体の前方又は後方から挿入されて前記収納部に収納された際に、前記遊技盤固定部材により前記遊技盤が固定される遊技機において、
前記遊技盤または前記枠体のうち前記遊技盤固定部材が取り付けられていない方の側部には、前記収納部への前記遊技盤の収納状態時に前記遊技盤固定部材が挿入される遊技盤固定部材挿入凹部が設けられ、
前記遊技盤固定部材は、係止部と誘導部とを少なくとも備えると共に、常には前記係止部と前記誘導部とが前記収納部の側方から突出するように付勢され、前記係止部は前記遊技盤固定部材挿入凹部に挿入されたときに前記遊技盤の移動を規制可能であって、前記誘導部は前記遊技盤で押されることにより前記係止部を前記収納部から後退させ、
前記遊技盤を前記枠体の収納部に挿入する際に前記遊技盤または前記収納部に近い側に前記誘導部、遠い側に前記係止部が位置して前記遊技盤を前記収納部へ挿入可能とすると共に前記収納部に前記遊技盤が収納された際には前記遊技盤固定部材挿入凹部へ前記係止部が挿入される挿入固定状態と、前記誘導部と前記係止部が前記挿入固定状態とは反対の位置にあって、前記遊技盤を前記収納部から取り外し可能とする固定解除状態とを可変としたことを特徴とする遊技機。
【発明の詳細な説明】
【技術分野】
【０００１】
本発明は、遊技盤を着脱自在に取り付けるようにした遊技機に関する。
【背景技術】
【０００２】
従来、前面枠体の背面側に遊技盤取付枠を設け、前記遊技盤取付枠に遊技盤を着脱自在に取り付けるようにしたパチンコ遊技機として、遊技盤の下端を支持する腰板部と遊技盤の上部背面側を係止する係止部材とを前面枠体に設けた構成からなるものが提案されている。
【０００３】
しかし、前記構成からなる従来の遊技機にあっては、遊技盤を遊技盤取付枠に取り付けるために前面枠体に設けた係止部材が、遊技盤の取付状態時に遊技盤の背面の一部を占めることになって遊技盤の背面に電気部品等を配置する際の妨げとなるおそれがある。
【特許文献１】特開平１１−１０４３２４号公報
【発明の開示】
【発明が解決しようとする課題】
【０００４】
本発明は、前記の点に鑑みなされたものであって、遊技盤の背面側に遊技盤固定部材が突出することなく遊技盤を枠体に固定することができ、遊技盤の背面を広く利用することが可能な遊技機の提供を目的とする。
【０００５】
請求項１の発明は、遊技球の流下可能な遊技領域が前面に設けられた遊技盤と、前記遊技盤の収納部を内部に有する枠体と、前記枠体の側部に取り付けられた遊技盤固定部材と、を備え、前記遊技盤が前記枠体の前方又は後方から挿入されて前記収納部に収納された際に、前記遊技盤固定部材により前記遊技盤が固定される遊技機において、前記遊技盤の側部には、前記収納部への前記遊技盤の収納状態時に前記遊技盤固定部材が挿入される遊技盤固定部材挿入凹部が設けられ、前記遊技盤固定部材は、係止部と誘導部とを少なくとも備えると共に、常には前記係止部と前記誘導部とが前記収納部の側方から該収納部内に突出するように付勢され、前記係止部は前記遊技盤固定部材挿入凹部に挿入されたときに前記遊技盤の移動を規制可能であって、前記誘導部は前記遊技盤で押されることにより前記係止部を前記収納部から後退させ、前記誘導部が前記収納部における遊技盤挿入側に位置し、かつ前記係止部が前記誘導部とは反対側に位置して前記遊技盤を前記収納部へ挿入可能とすると共に前記収納部に前記遊技盤が収納された際には前記遊技盤固定部材挿入凹部へ前記係止部が挿入される挿入固定状態と、前記係止部が前記収納部における前記遊技盤挿入側に位置し、かつ前記誘導部が前記係止部とは反対側に位置して前記遊技盤を前記収納部から取り外し可能とする固定解除状態とを可変としたことを特徴とする。
【０００６】
請求項２の発明は、請求項１において、前記枠体は前記収納部の周囲に遊技盤収容壁が立設されると共に、前記収納部への前記遊技盤挿入時に前記遊技盤の挿入方向側となる遊技盤の挿入方向側面と前記収納部へ前記遊技盤が収納された際に当接して前記遊技盤のそれ以上の挿入を阻止する遊技盤受けが設けられ、前記遊技盤固定部材は、前記収納部内に突出している前記係止部と前記誘導部を共に前記収納部から後退可能な可変部を備えたことを特徴とする。
【０００７】
請求項３の発明は、請求項１または２において、前記遊技盤固定部材は前記誘導部の一端側に前記係止部を有することを特徴とする
【０００８】
請求項４の発明は、請求項１から３の何れか一項において、前記遊技盤固定部材を複数設けると共に、前記遊技盤固定部材挿入凹部を前記遊技盤固定部材に対応して設けたことを特徴とする。
【０００９】
請求項５の発明は、請求項１から４の何れか一項において、前記誘導部と前記係止部とを前記挿入固定状態と前記固定解除状態間で回動可能とする回動部を前記遊技盤固定部材に設けたことを特徴とする。
【００１０】
請求項６の発明は、請求項４において、前記複数の遊技盤固定部材には前記誘導部と前記係止部とを前記挿入固定状態と前記固定解除状態間で回動可能とする回動部をそれぞれ設けると共に、少なくとも２個の前記回動部を同時に回動可能とする連動手段を設けたことを特徴とする。
【００１１】
請求項７の発明は、請求項１から４の何れか一項において、前記遊技盤固定部材は、前記係止部を前記誘導部の一端部から他端部へ移動する移動機構を備え、前記係止部の移動により前記挿入固定状態と前記固定解除状態間を変化可能としたことを特徴とする。
【００１２】
請求項８の発明は、遊技球の流下可能な遊技領域が前面に設けられた遊技盤と、前記遊技盤の収納部を内部に有する枠体と、前記遊技盤の側部または前記枠体の何れか一方の側部に取り付けられた遊技盤固定部材と、を備え、前記遊技盤が前記枠体の前方又は後方から挿入されて前記収納部に収納された際に、前記遊技盤固定部材により前記遊技盤が固定される遊技機において、前記遊技盤または前記枠体のうち前記遊技盤固定部材が取り付けられていない方の側部には、前記収納部への前記遊技盤の収納状態時に前記遊技盤固定部材が挿入される遊技盤固定部材挿入凹部が設けられ、前記遊技盤固定部材は、係止部と誘導部とを少なくとも備えると共に、常には前記係止部と前記誘導部とが前記収納部の側方から突出するように付勢され、前記係止部は前記遊技盤固定部材挿入凹部に挿入されたときに前記遊技盤の移動を規制可能であって、前記誘導部は前記遊技盤で押されることにより前記係止部を前記収納部から後退させ、前記遊技盤を前記枠体の収納部に挿入する際に前記遊技盤または前記収納部に近い側に前記誘導部、遠い側に前記係止部が位置して前記遊技盤を前記収納部へ挿入可能とすると共に前記収納部に前記遊技盤が収納された際には前記遊技盤固定部材挿入凹部へ前記係止部が挿入される挿入固定状態と、前記誘導部と前記係止部が前記挿入固定状態とは反対の位置にあって、前記遊技盤を前記収納部から取り外し可能とする固定解除状態とを可変としたことを特徴とする。
【発明の効果】
【００１３】
請求項１の発明によれば、前記遊技盤の側部には、前記収納部への前記遊技盤の収納状態時に前記遊技盤固定部材が挿入される遊技盤固定部材挿入凹部が設けられ、前記遊技盤固定部材は、係止部と誘導部とを少なくとも備えると共に、常には前記係止部と前記誘導部とが前記収納部の側方から該収納部内に突出するように付勢され、前記係止部は前記遊技盤固定部材挿入凹部に挿入されたときに前記遊技盤の移動を規制可能であって、前記誘導部は前記遊技盤で押されることにより前記係止部を前記収納部から後退させ、前記誘導部が前記収納部における遊技盤挿入側に位置し、かつ前記係止部が前記誘導部とは反対側に位置して前記遊技盤を前記収納部へ挿入可能とすると共に前記収納部に前記遊技盤が収納された際には前記遊技盤固定部材挿入凹部へ前記係止部が挿入される挿入固定状態と、前記係止部が前記収納部における前記遊技盤挿入側に位置し、かつ前記誘導部が前記係止部とは反対側に位置して前記遊技盤を前記収納部から取り外し可能とする固定解除状態とを可変としたことから、遊技盤の背面側に遊技盤固定部材が突出することなく遊技盤を枠体に固定することが可能となり、遊技盤背面を広く利用することが可能となる。
【００１４】
請求項２の発明によれば、前記枠体は前記収納部の周囲に遊技盤収容壁が立設されると共に、前記収納部への前記遊技盤挿入時に前記遊技盤の挿入方向側となる遊技盤の挿入方向側面と前記収納部へ前記遊技盤が収納された際に当接して前記遊技盤のそれ以上の挿入を阻止する遊技盤受けが設けられ、前記遊技盤固定部材は、前記収納部内に突出している前記係止部と前記誘導部を共に前記収納部から後退可能な可変部を備えたことから、遊技盤の取付を容易に行うことができる。
【００１５】
請求項３の発明によれば、前記遊技盤固定部材は前記誘導部の一端側に前記係止部を有することから、遊技盤固定部材の構造を簡略化することが可能となる。
【００１６】
請求項４の発明によれば、前記遊技盤固定部材を複数設けると共に、前記遊技盤固定部材挿入凹部を前記遊技盤固定部材に対応して設けたことから、遊技盤をより強固に固定することが可能となる。
【００１７】
請求項５の発明によれば、前記誘導部と前記係止部とを前記挿入固定状態と前記固定解除状態間で回動可能とする回動部を前記遊技盤固定部材に設けたことから、遊技盤の着脱作業を容易に行うことが可能となる。
【００１８】
請求項６の発明によれば、前記複数の遊技盤固定部材には前記誘導部と前記係止部とを前記挿入固定状態と前記固定解除状態間で回動可能とする回動部をそれぞれ設けると共に、少なくとも２個の前記回動部を同時に回動可能とする連動手段を設けたことから、遊技盤の着脱時における回動部の回動作業を減らして着脱作業をスムーズに行うことが可能となる。
【００１９】
請求項７の発明によれば、前記遊技盤固定部材は、前記係止部を前記誘導部の一端部から他端部へ移動する移動機構を備え、前記係止部の移動により前記挿入固定状態と前記固定解除状態間を変化可能としたことから、遊技盤の挿入部を小さく構成することが可能となる。
【００２０】
請求項８の発明によれば、遊技盤の側部または前記枠体の側部からの係止によって遊技盤を固定することができ、遊技盤背面を広く利用することが可能となる。
【発明を実施するための最良の形態】
【００２１】
以下添付の図面に基づき本発明の好適な実施形態を説明する。図１は本発明の第１実施例の遊技機について遊技盤の釘を省略して示す正面図、図２は同遊技機の背面図、図３は同遊技機の前面枠体、遊技盤、機構板及び側枠を示す斜視図、図４は同遊技機の前面枠体を示す斜視図、図５は同遊技機の遊技盤を示す斜視図、図６は同遊技機の遊技盤固定部材の分解斜視図、図７は同遊技機の遊技盤挿入固定時を示す図、図８は同遊技機の遊技盤固定解除取り外し時を示す図、図９は遊技盤固定部材挿入凹部の他の例を示す図、図１０は第２実施例の遊技機における前面枠体の斜視図、図１１は第３実施例の遊技機における遊技盤挿入固定時を示す図、図１２は同第３実施例の遊技機における遊技盤固定解除取り外し時を示す図、図１３は同第３実施例の遊技機における遊技盤固定部材の一部を示す斜視図である。
【００２２】
図１及び図２に示す遊技機１は、遊技媒体として遊技球を用いるパチンコ遊技機であって、図３にも示すように、側枠（木枠とも称される）Ｆ１の一側に合成樹脂製の前面枠体Ｆ２が開閉自在に軸支され、前記前面枠体Ｆ２内に設けられた遊技盤の収納部２０１に遊技盤３が着脱可能に取り付けられ、また前記遊技盤３の背面には機構板７が開閉係脱可能に取り付けられている。前面枠体Ｆ２の前面には一側にガラス枠Ｇがヒンジで開閉可能に軸支されている。前面枠体Ｆ２には、前記側枠Ｆ１との鍵装置Ｋ１とガラス枠Ｇとの係合部Ｋ３を有する係合部材８が設けられ、前記鍵装置Ｋ１の解除によって前記側枠Ｆ１に対し前面枠体Ｆ２が開き、また前記係合部Ｋ３の係合解除によって前面枠体Ｆ２に対しガラス枠Ｇが開く。なお、この例の遊技機１は、プリペイドカードユニット５６が接続されている。
【００２３】
前記側枠Ｆ１は、木製板材で枠組みされると共に、一側の上下に軸支部材Ｊ１が取り付けられ、前記軸支部材Ｊ１に前記前面枠体Ｆ２が開閉可能に軸支される。前記側枠Ｆ１の開放側の内側上下に前記鍵装置Ｋ１と係合して前面枠体Ｆ２を開閉するための係止金具Ｋ２が取り付けられている。前記木製の側枠Ｆ１は、パチンコ機の保管、輸送時に側枠Ｆ１部分を主として取り扱うようにされることで前面枠体Ｆ２を物理的損傷から保護するように構成されている。
【００２４】
前記前面枠体Ｆ２は、本発明における枠体に相当するものである。前記前面枠体Ｆ２について、図３及び図４を用いて説明する。前面枠体Ｆ２は、前記側枠Ｆ１の外周と略同サイズの外周からなり、前記遊技盤３の側部外周を包囲可能な遊技盤収容壁２０２が、前記遊技盤３の側部外周と略同形状に立設され、前記遊技盤収容壁２０２で包囲された部分が遊技盤の収納部２０１を構成している。前記収納部２０１には、後述する遊技盤３の遊技領域６を露出可能な遊技盤用窓２０３が前面枠体Ｆ２の前面側に開口形成され、また前記遊技盤用窓２０３の周囲における前面枠体Ｆ２の前面側は遊技盤受け２０４の壁面となっている。前記遊技盤受け２０４は、前記遊技盤３を前面枠体Ｆ２の収納部２０１へ背面側から挿入する時に、遊技盤３の挿入方向側となる遊技盤３の挿入方向側面３Ｆの周縁、すなわち遊技盤３における前面の周縁と、前記収納部２０１に遊技盤３を収納した際に当接して、それ以上遊技盤３が挿入されるのを阻止する。なお、符号３Ｒは前記遊技盤３の挿入方向側面３Ｆとは反対の面となる遊技盤背面を示す。
【００２５】
前記遊技盤収容壁２０２は、上部壁２０２ａ、左右の側部壁２０２ｂ及び下部壁２０２ｃで構成され、本実施例では左右の対向する側部壁２０２ｂには、図４及び図６乃至図８に示すように、それぞれ上下２箇所に遊技盤固定部材挿入穴２０５が形成されると共に、前記遊技盤固定部材挿入穴２０５と連通する筒部２０６が前記収納部２０１とは反対の外面に突出形成されている。前記筒部２０６は、内径が前記遊技盤固定部材挿入穴２０５と同径とされると共に、先端面２０７を備え、前記先端面２０７の中心に前記遊技盤固定部材挿入穴２０５より小径の軸挿通孔２０８が形成されている。また、前記筒部２０６の周壁には、前面枠体Ｆ２の前方側（遊技機の前面側）部分に遊技盤固定部材の歯車露出用開口２０９が形成されている。
【００２６】
前記遊技盤固定部材２１０は、前記遊技盤固定部材挿入穴２０５の軸挿通孔２０８に挿入可能な径の回動軸２１１を有し、前記回動軸２１１の基部側には、前記遊技盤固定部材挿入穴２０５に収容可能で、かつ前記軸部挿通孔２０８を通過不可能な大きさの円盤状からなる固定部２１２が形成され、前記固定部２１２の外面に係止部材２１９がビスで固定されている。前記回動軸２１１は本発明の回動部に相当し、該回動軸２１１の外周に歯車２１５が形成されている。本実施例では、前記遊技盤固定部材挿入穴２０５の前記軸挿通孔２０８に回動軸２１１を挿通し、前記筒部２０６内に歯車２１５を位置させた際に、前記歯車２１５の一部が前記筒部２０６の歯車露出用開口２０９から露出すると共に、前記係止部材２１９が収納部２０１の側方から収納部２０１内に突出し、さらに前記回動軸２１１の先端が前記筒部２０６の先端面２０７から突出した状態となる。前記回動軸２１１の先端側にはリング固定溝２１６が形成され、前記遊技盤固定部材挿入穴２０５の軸挿通孔２０８から回動軸２１１が抜けるのを防止するＣリング２１７が、前記リング固定溝２１６に嵌着される。
【００２７】
前記係止部材２１９は、図示の例では金属製平板を略Ｖ字形に折り曲げたものであって、折り曲げ部２１９ａの一側が前記固定部２１２への取付部２２０、他側が前記取付部２２０に対して所定角度の傾斜面からなる誘導部２２１を構成し、さらに前記誘導部２２１の一端側の先端が係止部２２２を構成している。前記係止部材２１９は、前記取付部２２０と前記誘導部２２１間にバネ弾性を有し、そのバネ弾性により、前記誘導部２２１と係止部２２２が常には遊技機正面から見て前記収納部２０１の側方から収納部２０１内に突出するように付勢され、また後述の遊技盤３の側部３１で誘導部２２１が押圧されることによって収納部２０１から後退可能となっている。前記折り曲げ部２１９ａは本発明における可変部に相当する。さらに前記係止部材２１９の係止部２２２は、後述する遊技盤３の遊技盤固定部材挿入凹部３０内で回転し易いように、先端が円弧状に丸くされている。
【００２８】
また、前記前面枠体Ｆ２は、前記遊技盤固定部材２１０の歯車２１５が位置する側、本実施例では側部壁２０２ｂの外側面に沿ってラック部材取付溝２２３が形成され、前記ラック部材取付溝２２３にラック部材２３０が上下スライド可能に取り付けられている。前記ラック部材２３０は、前記筒部２０６の周壁から露出している遊技盤固定部材２１０の歯車２１５と噛み合う歯２３１を備え、上下にスライドすることによって前記遊技盤固定部材２１０の歯車２１５が回転し、それにより前記回動軸２１１及び固定部２１２を介して前記係止部材２１９が回動する。また、本実施例では、前記ラック部材２３０と歯車２１５は連動手段を構成している。すなわち、前記ラック部材２３０は、左右のそれぞれの側部壁２０２ｂにおける上下２つの遊技盤固定部材２１０の歯車２１５と同時に噛み合う長さとされ、前記ラック部材２３０を上下スライドさせることによって、上下２個の遊技盤固定部材２１０における回動軸２１１を同時に回動させて、上下２個の係止部材２１９を同時に回動させることができるようになっている。上下２個の遊技盤固定部材２１０における係止部材２１９は、誘導部２２１同士及び係止部２２同士が、同一方向を向くようにして、それぞれの歯車２１５が前記ラック部材２３０の歯２３１と噛み合っており、前記ラック部材２０３の上下スライドによって、上下２つの遊技盤固定部材２１０における誘導部２３１及び係止部２３２を、前記収納部２０１の遊技盤挿入側Ｒ（遊技盤３を収納部２０１に挿入する際の遊技盤に近い側に相当する）、すなわち本実施例では前面枠体Ｆ２の背面方向と、その反対側Ｆ（遊技盤３を収納部２０１に挿入する際の遊技盤３から遠い側に相当する）、すなわち本実施例では前面枠Ｆ２の前面方向との間で同時に位置（向き）を変えることができる。また、前記ラック部材２３０において、前記歯２３１は、ラック部材２３０の全長に設けられず、上下に分離させて、前記上下の遊技盤固定部材２１０の歯車２１５と噛み合う位置にのみ設けられ、歯２３１と歯２３１の間に、ラック操作部２３２が突起状に形成されている。なお、前記ラック操作部２３２は摘み部を構成し、前記側面部２０２ｂの背面側から突出しない高さとされている。
【００２９】
なお、前面枠体Ｆ２の前面側には、図１に示すように、枠飾り右ランプ３５ａ、枠飾り上ランプ３５ｂ及び枠飾り左ランプ３５ｃが上部に設けられ、払い出された遊技球を受けるための上側球受け皿３６、該上側球受け皿３６の飽和時に遊技球を受けるための下側球受け皿３７、効果音等を発するスピーカ３８、遊技者の発射操作に応じて遊技球を遊技盤３の遊技領域６に向けて弾発発射する発射装置５３等が下部に組み付けられている。
【００３０】
前記遊技盤３は、図１に示すように、前面側における遊技盤３の縁に遊技球の外側ガイドレール４及び内側ガイドレール５が略円形に立設され、前記内側ガイドレール５によって囲まれた遊技領域６の中心線上にその上部から下部に向かって順に液晶，ドットマトリックス若しくはＬＥＤ表示装置等からなる表示装置９、始動入賞口１０、特別電動役物である大入賞口１５、アウト口１７が配設されている。また上方両側にはランプ風車１８ａ，１８ｂ、その下方に普通図柄変動開始用左ゲート１９及び普通図柄変動開始用右ゲート２１、その下方に左袖入賞口２３と右袖入賞口２５、さらには前記大入賞口１５の両側に左落とし入賞口２７と右落とし入賞口２９が配設されている。符号２２ａ，２２ｂは風車である。なお、本実施例における前記表示装置９は、左下に普通図柄の変動及び停止表示を行う普通図柄表示部４５が組み込まれ、その他の大部分が特別図柄の変動及び停止表示を行う特別図柄表示部４２となっている。
【００３１】
また、前記遊技盤３は、図３及び図５に示すように、前記前面枠体Ｆ２の遊技盤固定部材２１０と対応する側部３１の位置、本実施例では左右の側部に、遊技盤固定部材挿入凹部３０が合計４個形成されている。前記遊技盤固定部材挿入凹部３０は、前記前面枠体Ｆ２における遊技盤の収納部２０１に前記遊技盤３が収納された遊技盤収納状態時に、前記遊技盤固定部材２１０の係止部材２１９が挿入可能な大きさとされ、本実施例では上下方向の長穴で形成されている。
【００３２】
前記遊技盤３を前記前面枠体Ｆ２へ取り付ける際には、まず、前記ラック部材２３０をスライドさせて、図７の７−Ａのように、前記遊技盤固定部材２１０の係止部材２１９における誘導部２２１を前記収納部２０１における遊技盤挿入側Ｒ、本実施例では前面枠体Ｆ２の背面側に位置させ、前記係止部２２２をその反対側Ｆ、本実施例では前面枠体Ｆ２の前面側に位置させる挿入固定状態とし、図７の７−Ｂのように、前記遊技盤３を前面枠体Ｆ２の背面側から前記収納部２０１へ挿入する。その際、前記誘導部２２１が前記遊技盤３の側部３１と接触して押されることにより、前記係止部２２２が収納部２０１から後退（外方へ移動）して収納部２０１への遊技盤３の挿入を可能にする。さらに前記遊技盤３が前記前面枠体Ｆ２の遊技盤受け２０４と当接してそれ以上の挿入が阻止される位置になると、図７の７−Ｃに示すように、前記係止部２２２が前記遊技盤３の遊技盤固定部材挿入凹部３０に挿入されて遊技盤固定部材挿入凹部３０の内壁と係止し、前記係止部２２２と前記遊技盤受け２０４とで前記遊技盤３の側部を挟持する。これによって、前記遊技盤３は、前面枠体Ｆ２に固定されて収納部２０１に収納される。なお、前記遊技盤挿入側Ｒは、遊技盤３を収納部２０１へ挿入する際の遊技盤３に近い側に相当し、前記反対側Ｆは、遊技盤３を収納部２０１へ挿入する際の遊技盤３から遠い側に相当する。
【００３３】
それに対して、前記遊技盤３を取り外す際には、前記ラック部材２３０をスライドさせて、図８の８−Ａのように、前記係止部２２２が前記収納部２０１における遊技盤挿入側Ｒ、本実施例では前面枠体Ｆ２の背面側に位置させ、前記誘導部２２１をその反対側Ｆ、本実施例では前面枠体Ｆ２の前面側に位置させる固定解除状態とし、図８の８−Ｂに示すように、遊技盤３を前面枠体Ｆ３の後方（背面方向）へ引く。その際、前記誘導部２２１が前記遊技盤３の側部３１と接触して押されることにより、前記係止部２２２が収納部２０１から後退（外方へ移動）して後方（背面方向）への遊技盤３の移動を可能にする。そして、その状態でさらに遊技盤３を後方（背面方向）へ引けば、図８の８−Ｃのように、前記係止部２２２が前記遊技盤固定部材挿入凹部３０から外れ、それによって前記遊技盤３が前面枠体Ｆ２から取り外される。
【００３４】
なお、前記実施例において前記遊技盤固定部材挿入凹部３０は、遊技盤３の側部３１に穴形状で形成した構成としたが、図９のように遊技盤３ａの側部３１ａを遊技盤３ａの背面側で係止部材２１９の長さよりも深く切り欠いて段差形状にした遊技盤固定部材挿入凹部３０ａで構成してもよい。このように構成すれば、遊技盤３ａの背面から遊技盤固定部材２１０が突出せず、しかも遊技盤固定部材挿入凹部３０ａの加工も容易に行うことが可能となる。
【００３５】
前記機構板７には、遊技機１における遊技を制御する各種基板や装置等が、主に背面側に設けられる。図２の遊技機の背面面には、前記基板や装置の主なものとして、受電基板１００、電源基板１１０、主制御基板１２０、表示制御基板１３０、払出制御基板１４０、音声制御基板１５０、ランプ制御基板１６０、発射制御基板１７０等が示されている。符号１８１は払出装置（賞球払出装置と貸球払出装置）、１８３は球無しスイッチ基板（賞球・球貸し兼用）、１８５は払出中継基板、１８９は球貯留タンク、１９１は球誘導樋を示す。
【００３６】
ここで、前記遊技機１における遊技を簡単に説明する。前記遊技機１においては、前記発射装置５３により遊技領域６へ向けて発射された遊技球が、前記遊技領域９の種々の入賞口に入賞すると所定数の遊技球が賞品球として払出装置１８１から上側球受け皿３６に払い出される。また、前記普通図柄変動開始用左ゲート１９及び普通図柄変動開始用右ゲート２１を遊技球が通過して検出されると、主制御基板１２０へ検出信号が送られ、小当たり判定・普通図柄決定用乱数が取得される。そして、普通図柄の当たり（小当たり）判定が主制御基板１２０により行われると共に、前記普通図柄表示部４５で普通図柄の変動を開始し、所定時間変動後に停止する。その際、前記普通図柄の当たり判定結果が小当たりの場合には、小当たり普通図柄、この例では奇数で停止し、前記始動入賞口１０の可動片１０ａ，１０ｂが拡開して遊技球が入賞し易くなる。そして、前記始動入賞口１０に遊技球が入賞すると、所定数（この例では５個）の遊技球が賞品球として払い出される。
【００３７】
また、前記始動入賞口１０に遊技球が入賞して検出されると、主制御基板１２０へ検出信号が送られ、大当たり当否判定用乱数値及び大当たり図柄組合せ決定用乱数値が取得され、前記大当たり当否判定用乱数値に基づいて大当たりの当否判定が行われ、外れの場合には外れ確定特別図柄の組合せ決定用乱数数値が取得される。また、特別図柄の変動開始前に変動態様決定用乱数値が取得される。そして、取得された変動態様決定用乱数値に基づき決定された選択変動態様にしたがい前記特別図柄柄表示部４２で特別図柄が変動を開始し、所定時間経過後停止する。
【００３８】
前記特別図柄表示部４２で停止表示された確定特別図柄が、大当たり確定特別図柄組合せ、例えばぞろ目（‘７，７，７’のように同じ数字が並んだ状態）で停止表示されると、大当たりになり、遊技者に有利な特別遊技状態（大当たり遊技状態）に移行する。前記特別遊技状態になると、前記大入賞口１５の開閉板１６が開いて遊技領域６の表面を落下してくる遊技球を受け止め易くして大入賞口１５へ入賞可能にし、該大入賞口１５への入賞があると、所定数の遊技球が賞品球として払い出される。前記開閉板１６は、所定時間（例えば２９．５秒）経過後、或いは入賞球数が所定個数（例えば１０個）となった時点で閉じるようにされている。
【００３９】
前記大入賞口１５の開放中又は大入賞口１５が閉じてから約２秒以内に、前記大入賞口１５の特定領域入賞口５２に遊技球が入賞して入賞球が検出されると、前記大当たりを再度繰り返す継続権利が発生し、所定最高回数（例えば最高１６回）、前記開閉板１６の開放を繰り返す。なお、前記発射装置５３により遊技領域６へ向けて発射された遊技球が、入賞口の何処にも入賞しなければ前記アウト口１７から遊技盤３の裏側へ排出される。
【００４０】
なお、前記実施例では、遊技盤３を前面枠体Ｆ２の遊技盤受け２０４と遊技盤固定部材２１０の係止部２２２で挟持することにより前記収納部２０１に固定しているが、本発明はそれに限られるものではない。図１０に示す第２実施例の遊技機における前面枠体Ｆ２０は、前記遊技盤受けを利用することなく遊技盤固定部材によって遊技盤３を収納部に着脱可能とする例である。また、この第２実施例は、前面枠体Ｆ２０の前面側あるいは背面側の何れの側からでも前記遊技盤３を収納部２０１に収納して固定することができ、さらに前面側あるいは背面側の何れの側からでも前記遊技盤３を取り外すことができるものである。以下の説明において前記第１実施例と同様の部分については同一の符号を用いて示す。
【００４１】
前記第２実施例の遊技機は、遊技球の流下可能な遊技領域が前面に設けられた遊技盤と、前記遊技盤の収納部を内部に有する枠体と、前記枠体の側部の複数位置に取り付けられた遊技盤固定部材と、を備え、前記遊技盤が前記枠体の前方又は後方から挿入されて前記収納部に収納された際に、前記遊技盤固定部材により前記遊技盤が固定される遊技機において、前記遊技盤の側部には、前記収納部への前記遊技盤の収納状態時に前記遊技盤固定部材が挿入される遊技盤固定部材挿入凹部が設けられ、前記遊技盤固定部材は、係止部と誘導部とを少なくとも備えると共に、常には前記係止部と前記誘導部とが前記収納部の側方から該収納部内に突出するように付勢され、前記係止部は前記遊技盤固定部材挿入凹部に挿入されたときに前記遊技盤の移動を規制可能であって、前記誘導部は前記遊技盤で押されることにより前記係止部を前記収納部から後退させ、前記遊技盤固定部材の全ての誘導部が前記収納部における遊技盤挿入側に位置し、かつ前記係止部が前記誘導部とは反対側に位置して前記遊技盤を前記収納部へ挿入可能とすると共に前記収納部に前記遊技盤が収納された際には前記遊技盤固定部材挿入凹部へ前記係止部が挿入される挿入状態と、前記複数の遊技盤固定部材のうち一部の遊技盤固定部材の誘導部と係止部が前記挿入状態とは反対側に位置して前記係止部を前記遊技盤固定部材挿入凹部に係止する固定状態と、前記遊技盤固定部材の全ての係止部が前記収納部における遊技盤取り外し側に位置し、かつ前記誘導部が前記係止部とは反対側に位置して前記遊技盤を前記収納部から取り外し可能とする固定解除状態との間を可変としたことを特徴とするものである。
【００４２】
前記前面枠体Ｆ２０においては、第１実施例における遊技盤受け２０４に相当するものが無く、かつ前記遊技盤収容壁２０２における左右の側部壁２０２ｂの上下に設けられている前記遊技盤固定部材２１０の歯車２１５と独立して噛み合うラック部材２３０１を、側部壁２０２ｂの上下に分離して設けた構成からなり、その他の構成は第１実施例と同様である。
【００４３】
前記第２実施例において、遊技盤を収納部２０１に収納固定する際は、まず、全てのラック部材２３０１のスライド操作により、全ての遊技盤固定部材２１０について前記誘導部２２１を遊技盤挿入側（例えば前面枠体Ｆ２０の背面側）にすると共に係止部２２２がその反対側に位置する挿入状態に回動させ、その状態で前記遊技盤３を遊技盤挿入側（例えば前面枠体Ｆ２０の背面側）から収納部２０１に挿入し、前記係止部２２２を前記遊技盤３の遊技盤固定部材挿入凹部３０に挿入する。その後、前記左右の側壁部２０２ｂにおいて対角線上に位置する一組のラック部材２３０１をスライドさせて前記対角線上に位置する一組の遊技盤固定部材２１０を回動させることにより、前記対角線上に位置する一組の遊技盤固定部材２１０における誘導部２２１と係止部２２２を、前記挿入状態とは反対の位置の固定状態にする。この固定状態においては、一組の対角線上の遊技盤固定部材２１０については係止部２２２が前面枠体Ｆ２０の前面側を向き、また他の一組の対角線上の遊技盤固定部材２１０については係止部２２２が前面枠体Ｆ２０の背面側を向いているため、前記遊技盤固定部材挿入凹部３０が遊技盤固定部材２１０に挟持され、係止されることになる。これによって、前面枠体Ｆ２０に対する遊技盤３の前後方向への移動が規制され、前記収納部２０１に確実に固定される。それに対し、遊技盤３を取り外す際には、対角線上に位置する一組のラック部材２３０１をスライドさせて前記対角線上の遊技盤固定部材２１０を回動させることにより、左右の側壁部２０２ｂにおける全ての遊技盤固定部材２１０の係止部２２２を、遊技盤３の取り外し側（前面枠体の背面側あるいは前面側）にすると共に誘導部２２１をその反対側に位置する固定解除状態とし、その状態で遊技盤取り外し方向へ前記遊技盤３を引っ張って取り外す。なお、前面枠体Ｆ２０の同一側（例えば背面側）から遊技盤３の挿入及び取り外しを行う場合には、前記遊技盤挿入側と取り外し側とは同一側となる。
【００４４】
図１１ないし図１３には、第３実施例の遊技機における遊技盤固定部材３００を示す。この実施例の遊技盤固定部材３００は、前記遊技盤３の側部３１または図１１ないし図１３に示す前面枠体Ｆ２００の側部２１０の何れか一方に設けられる。図示の例では、第１実施例と同様に遊技盤３に遊技盤固定部材挿入凹部３０が設けられ、前記遊技盤３の収納時に遊技盤３の遊技盤固定部材挿入凹部３０と対向する前面枠体Ｆ２００の側部Ｆ２０１に、遊技盤固定部材取付穴Ｆ２０２が形成され、さらに前記遊技盤固定部材取付穴Ｆ２０２内に遊技盤固定部材３００が取り付けられている。
【００４５】
前記前面枠体Ｆ２００は、第１実施例の前面枠体Ｆ２と同様の構成からなるもので、第１実施例の前面枠体Ｆ２における遊技盤受け２０４と同様の遊技盤受けＦ２０４を遊技盤挿入方向の前方（前面枠体Ｆ２００の前面側）に備え、前面枠体Ｆ２００の背面側から遊技盤３が挿入されるように構成されている。
【００４６】
前記遊技盤固定部材３００は、図１３からより容易に理解されるように、前面枠体Ｆ２００の前後方向と対応する面が斜面の誘導部３０２となった山形状の基体３０１と、前記基体３０１における２つの誘導部３０２のうち１方（３０２ａまたは３０２ｂ）を隠蔽可能で、しかもスライドによって他方の誘導部を隠蔽することが可能な枠状の係止部３０５とを備える。前記係止部３０５の基部外面にはラック部材３０６が前記スライド方向に沿って設けられている。
【００４７】
前記遊技盤固定部材取付穴Ｆ２０２内には、図１１に示すように、前記ラック部材３０６と噛み合ってラックアンドピニオン構造を構成する歯車３１０と、前記歯車３１０が回転可能に取り付けられた保持台３１１と、前記保持台３１１を前面枠体Ｆ２００における遊技盤の収納部Ｆ２０５内方へ押して前記遊技盤固定部材３００を常に収納部Ｆ２０５内へ突出するように付勢するスプリング３１２が設けられている。さらに前記歯車３１０には歯車３１０を回転させて前記係止部３０５を一方の誘導部側から他方の誘導部側へスライドさせる操作部（図示せず）が設けられている。前記ラック部材３０６と前記歯車３１０は、前記誘導部の一端部から他端部へ係止部を移動する移動機構に相当する。なお、前記スプリング３１２は、前記収納部Ｆ２０５内に突出している係止部３０５と誘導部３０２を共に収納部Ｆ２０５から後退可能にする可変部にも相当する。
【００４８】
前記第３実施例において前記遊技盤３を取り付ける際には、まず図１１の１１−Ａ及び図１３の１３−Ｂに示すように、前記係止部３０５を前面枠体Ｆ２００の遊技盤挿入側とは反対側（前面枠体Ｆ２００の前面側）へスライドさせて、遊技盤挿入側の誘導部３０２ａを露出させ、これにより、遊技盤挿入側、すなわち遊技盤３に近い側に誘導部３０２ａが位置し、反対の遠い側に係止部３０５が位置する挿入固定状態とする。その状態で、図１１の１１−Ｂのように遊技盤３を収納部Ｆ２０５に挿入する。その際、前記遊技盤固定部材３００は、前記誘導部３０２ａが遊技盤３の側部３１によって押されることにより収納部Ｆ２０５から後退し、前記遊技盤３を収納部Ｆ２０５へ収納可能にする。そして、前記遊技盤３が前記収納部Ｆ２０５に収納されると、図１１の１１−Ｃに示すように、遊技盤３の遊技盤固定部材挿入凹部３０に前記遊技盤固定部材３００の係止部３０５及び基体３０１が挿入され、遊技盤３が遊技盤固定部材３００の係止部３０５と前記遊技盤受けＦ２０４によって挟持固定される。その状態では、遊技盤３を前記挿入方向とは反対の取り出し方向（前面枠体Ｆ２００の背面方向）へ引っ張って取り外そうとしても、前記係止部３０５の前端３０５ａが遊技盤固定部材挿入凹部３０に係止して、遊技盤３の移動を規制する。
【００４９】
また、前記遊技盤３を取り外す際には、図１２の１２−Ａ及び図１３の１３−Ｃに示すように前記係止部３０５を前記挿入固定状態とは反対側へスライドさせて、前記挿入固定状態とは反対側（前面枠体Ｆ３００の前面側）の誘導部３０２ｂを露出させることにより、前記係止部３０５及び露出した誘導部２０２ｂが前記挿入固定状態における係止部３０５および露出した誘導部３０２ａとは反対の位置にある固定解除状態とする。その状態で、図１２の１２−Ｂのように遊技盤３を取り外し方向へ引っ張る。その際、前記遊技盤固定部材３００は、前記誘導部３０２ｂが遊技盤３の側部３１によって押されることにより収納部Ｆ２０５から後退し、前記収納部Ｆ２０５からの遊技盤３の取り外しを可能にする。さらに遊技盤３を取り外し方向へ引っ張れば、図１２の１２−Ｃに示すように前記遊技盤固定部材３００が遊技盤固定部材挿入凹部３０から抜け、前記収納部Ｆ２０５から遊技盤３が外れる。
【００５０】
なお、前記挿入固定状態時に前記係止部３０５をロックしてスライドを阻止するために、前記歯車３１０の動きを機械的に止めるピン部材を歯車３１０とラック部材３０６間に挿入するロック機構を設けてもよい。そうすることで、前記係止部３０５を完全にロックすることが可能となり、より強固に遊技盤を収納部に固定することができる。
【００５１】
本発明は、このように遊技機を構成したことで、遊技盤の背面側に遊技盤固定部材が突出することなく遊技盤を前面枠体に固定することが可能となり、遊技盤背面を広く利用することが可能となったのである。また、前記第２実施例に第３実施例の遊技盤固定部材を使用してもよい。
【００５２】
なお、本発明は前記実施例に限定されるものではなく、本発明の趣旨を逸脱しない範囲で変更することが可能である。例えば、前記遊技盤固定部材挿入凹部は遊技盤の側部に直接形成したが、別部品として遊技盤の側部に取り付けてもよい。また、第１及び第３実施例において遊技盤を前面枠体の後方（背面側）から収納部に挿入する場合を示したが、前面枠体の前方（前面側）から挿入する構成としてもよい。さらに、遊技盤固定部材挿入凹部は、図示の例に限られるものでなく、例えば第１実施例においては、係止部が挿入された状態で回動可能な大きさであって、遊技盤収納状態時に係止部と遊技盤受け部によって遊技盤固定部材挿入凹部が挟持可能な形状であればよい。また、第１実施例において常時は遊技盤遊技盤固定部材を挿入固定状態に位置させるようにラック部材を弾性部材等で付勢すると共に遊技盤固定部材が固定解除状態となる位置で固定可能な固定部材を設けた構成としてもよい。さらに第１実施例では左右の側壁部毎に２つの遊技盤固定部材を連動させて操作可能な構成としたが、全ての遊技盤固定部材を連動させて操作可能な構成にしてもよい。また、前記各実施例では、遊技盤に遊技盤固定部材挿入凹部を設け、前面枠体に遊技盤固定部材を設けた構成としたが、遊技盤に遊技盤固定部材を設け、前面枠体に遊技盤固定部材挿入凹部を設けてもよい。その場合、前記遊技盤固定部材の挿入固定状態は、遊技盤を挿入する際における前面枠体の収納部に近い側に誘導部、遠い側に係止部が位置する状態であり、固定解除状態は、前記誘導部と係止部が前記挿入固定状態とは反対位置の状態となる。
【図面の簡単な説明】
【００５３】
【図１】本発明の第１実施例の遊技機について遊技盤の釘を省略して示す正面図である。
【図２】同遊技機の背面図である。
【図３】同遊技機の前面枠体、遊技盤、機構板及び側枠を示す斜視図である。
【図４】同遊技機の前面枠体を示す斜視図である。
【図５】同遊技機の遊技盤を示す斜視図である。
【図６】同遊技機の遊技盤固定部材の分解斜視図である。
【図７】同遊技機の遊技盤挿入固定時を示す図である。
【図８】同遊技機の遊技盤固定解除取り外し時を示す図である。
【図９】遊技盤固定部材挿入凹部の他の例を示す図である。
【図１０】第２実施例の遊技機における前面枠体の斜視図である。
【図１１】第３実施例の遊技機における遊技盤挿入固定時を示す図である。
【図１２】同第３実施例の遊技機における遊技盤固定解除取り外し時を示す図である。
【図１３】同第３実施例の遊技機における遊技盤固定部材の一部を示す斜視図である。
【符号の説明】
【００５４】
１  遊技機
３  遊技盤
６  遊技領域
９  表示装置
３０  遊技盤固定部材挿入凹部
２０１  収納部
２０２  遊技盤収容壁
２０４  遊技盤受け
２１０  遊技盤固定部材
２２１  誘導部
２２２  係止部
Ｆ１  側枠
Ｆ２  前面枠体（本発明の枠体）
【図１】
2006068031.tif 000003
【図２】
2006068031.tif 000004
【図３】
2006068031.tif 000005
【図４】
2006068031.tif 000006
【図５】
2006068031.tif 000007
【図６】
2006068031.tif 000008
【図７】
2006068031.tif 000009
【図８】
2006068031.tif 000010
【図９】
2006068031.tif 000011
【図１０】
2006068031.tif 000012
【図１１】
2006068031.tif 000013
【図１２】
2006068031.tif 000014
【図１３】
2006068031.tif 000015